(57)【要約】【課題】【００２７】従来の傘は、傘を片手で持っている場合等は、横からの風雨の時に傘軸を風上側に傾斜させる際に、傘の操作を行いにくかった。【解決手段】傘軸７と、傘軸７と摺動可能に嵌装される下ロクロ９と、傘軸７の先端側に配置される石突き１と、石突き下４に上ロクロ４を介して取り付けられる傘布面２と、傘布面２を支持する親骨３と、親骨３と下ロクロ９との間に介装される支骨８とを備える傘であって、石突き下４と、傘軸７の先端とが分離している。【選択図】 図１
2017123967.tif 000002
【特許請求の範囲】
【請求項１】
傘軸７と、前記傘軸７と摺動可能に嵌装される下ロクロ９と、前記傘軸７の先端側に配置される石突き下４と、前記石突き４に上ロクロ４を介して取り付けられる傘布面２と、前記傘布面２を支持する親骨３と、前記親骨３と下ロクロ９との間に介装される支骨８とを備える傘であって、前記石突き４と、傘軸７の先端６とが分離している、ことを特徴とする傾斜傘。
【請求項２】
前記石突き下４と、傘軸７の先端６とがワイヤーで接続されている、ことを特徴とする請求項１に記載の傾斜傘。
【請求項３】
前記傘軸７の内部に引きばね１１が設けられ、前記引きばね１１の基端側が前記傘軸７に固定され、先端側が前記ワイヤー５の傘軸７側端部に接続されている、ことを特徴とする請求項２に記載の傾斜傘。
【請求項４】
前記ワイヤー５の長さは、前記傘を開いた時の、前記石突き基端部４と傘軸の先端６の間隔が４〜６ｃｍとなる長さである、ことを特徴とする請求項２または請求項３に記載の傾斜傘。
【発明の詳細な説明】
【技術分野】
【０００１】
本発明は、風圧を活用することで傘布面のみが風上側に傾斜をする。
【背景技術】
【０００２】
従来の傘は横からの風雨の時は傘軸を風上側に傾斜して水濡れに対応する。    
【発明の概要】
【発明が解決しようとする課題】
【０００３】
横からの風雨の時に風上側に傘軸を傾斜させなくても傘布面２のみが自動的に風上側に傾斜することで水濡れを防ぐことを可能とする。  
【課題を解決するための手段】
【０００４】
傘軸7と、前記傘軸7と摺動可能に嵌装される下ロクロ９と、前記傘軸７の先端側に配置される石突き１と、前記石突き１に上ロクロ４を介して取り付けられる傘布面２と、前記傘布面２を支持する親骨３と、前記親骨３と下ロクロ９との間に介装される支骨８とを備える傘であって、前記石突き４と、傘軸の先端６とが分離している。
【０００５】
又、前記石突き下４と、傘軸７の先端６とがワイヤー５で接続されている。
【０００６】
又、前記傘軸７の内部に引きばね11が設けられ、前記引きばね１１の基端側が前記傘軸７に固定され、先端側が前記ワイヤー５の傘軸側端部に接続されている。
【０００７】
傘を開いた時、石突き下４と傘軸先端６の間隔をワイヤー５の長さを以って４〜６ｃｍに設定することで傘軸先端６を支点として布傘面２が自動的に風上側に追尾し風圧に比例した傾斜運動を可能とする。
【発明の効果】
【０００８】
本発明の傘は風上からの風圧を活用する。前後左右からの風雨の変化に対し傘布面                                                                                  2のみが傘軸先端６を支点として自動的に風上側に方向追尾し、風圧に比例した傾斜を自動的にすることで、傘の握り手を持ち替えたり傘軸7を傾斜せずとも風上からの風雨に対し容易に水濡れを防ぐことが可能である。
【０００９】
本発明の傘は、風向、風圧が頻繁に変化しても、寸時に且つ容易に傘布面２のみが自動                              的に風上側に追尾及び傾斜することで、常に傘布面2が均等な風圧状態にあり逆風を受ける状態を回避するため傘布面２が裏返ることになりにくく握力の弱い使用者にも使い勝手が良い。
【００１０】
従来の傘は横からの突風を伴う風雨の時に、傘布面２の風上側の片面範囲で風圧を受けるので傘を保持をしにくいが、本発明の傾斜傘は風上側に寸時に且つ自動的に傾斜するため傘布面2全体で均等に風圧を吸収することで、持ち手側に反動が少なく傘布面２が安定しているので傘を保持しやすい。
【００１１】
両手に荷物を持っている時でも本発明の傘は傘軸を傾斜しないので荷物を持った片手で容易に傘を保持することが可能となる。
【００１２】
風圧を受け、傘布面２が傾斜をしても透明製材質で製作することで前方目視が可能で、子供用の傘としても適している。
【図面の簡単な説明】
【００１３】
【図１】本発明の傾斜傘Ｐの構成
【図２】風が吹いた時の、本発明の傾斜傘の使用状態
【発明を実施するための形態】
【００１４】
図１に、本発明の傾斜傘Ｐの構成を示す。
【００１５】
本発明の傾斜傘Ｐは、傘軸７と、傘軸７に摺動可能に嵌装される下ロクロ９と、傘軸７の先端側に配置される石突き１と、石突き下４に上ロクロ４を介して取り付けられる傘布面２と、傘布面２を支持する親骨３と、親骨３と下ロクロ９との間に介装される支骨８とを備えており、石突き下４と傘軸７の先端６を切り離し、石突き１の基端部４と傘軸７の先端６をワイヤー５で接続した構成である。
【００１６】
このように、本発明の図１傾斜傘Ｐは従来の傘では接続されている石突き下４と傘軸７の先端６を切り離し、切り離した箇所どうしをワイヤー５で接続することで傘軸７の先端６を支点として傘布面２を傾斜させるなどの動作を実現できる。
【００１７】
ワイヤー５の長さは、傾斜傘Ｐを開いた時の、石突き１の基端部４と傘軸７の先端６の間隔が４〜６ｃｍとなる長さに設定することが好ましい。  
【００１８】
傘布面２が横風を受けると自動的に傘軸先端６を支点として風上側に追尾し且つ自動的に風圧に比例した傾斜をする。
【００１９】
傘布面２の風圧が弱く水平状態の時に風雨を受ければ自動的に傘布面２が風上側への追尾及び傾斜動作となる。
【００２０】
風が弱い時に水平状態の傘布面２が風上からの風圧を受けることで、風圧を受けた傘布面２の風上側の片面の風圧が高くなることにより、傘布面２の風圧バランスが崩れることで均等性を失うと寸時に傘布面２のみがバランスの安定動作へとして自動的に風上側への方向追尾と傾斜動作が始まる。
【００２１】
風上から風圧を受けた傘布面2は風向追尾と均等な風圧バランス状態に至るまで傾斜動作を続行し、傘布面２の風圧バランスが均等状態に至ることで傾斜動作を停止且つ保持する、次の風向風圧の変化が生じることで上記動作を繰り返す。
【００２２】
傘布面２が傾斜状態で停止の時、風が弱くなり傘布面２の風圧が減圧状態に至ると、傘布面２は親骨３の張力が勝り自動的に水平状態に戻る。
【００２３】
傘軸７の内部には引きばね１１が設けられており、引きばね１１の基端側が傘軸７に固定され、先端側がワイヤー５の傘軸７側端部に接続されている。
引きばね１１は、瞬間突風の風圧を傘布面２が受けた時、親骨３へのダンパー用として活用される。
【００２４】
傘布面２での風向風圧が常時変化するゆえ石突き１の基端４及び傘軸先端６の双方とは、ワイヤー５の摩擦損傷の軽減のために、外周側へ拡径するラッパ状（図１−４，図１−６）に加工すると良い。
【００２５】
ワイヤー５は、しなりのある、材質ステンレス製の捩り線ワイヤーなどで実現するのが良い。
【符号の説明】
【００２６】
Ｐ        傾斜傘
１       石突き
２        傘布面
３        親骨       
４        石突き下（上ロクロ）                                 
５        ワイヤー   
６        傘軸先端
７        傘軸              
８        支骨
９        下ロクロ   
１０      上弾き            
１１      引きばね
【図１】
2017123967.tif 000003
【図２】
2017123967.tif 000004
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
傘軸７と、前記傘軸７と摺動可能に嵌装される下ロクロ９と、前記傘軸７の先端側に配置される石突き１と、前記石突き１に上ロクロ４を介して取り付けられる傘布面２と、前記傘布面２を支持する親骨３と,前記親骨３と下ロクロ９との間に介装される支骨８とを備える傘であって、前記上ロクロ４と、傘軸７の先端６とが分離しており、前記上ロクロ４と、傘軸７の先端６とがワイヤー5で接続されていることを特徴とする傾斜傘。
【請求項２】
前記傘軸７の内部に引きばね１１が設けられ、前記引きばね１１の基端側が前記傘軸７に固定され、先端側が前記ワイヤー５の傘軸７側端部に接続されている、ことを特徴とする請求項１に記載の傾斜傘。
【請求項３】
前記ワイヤー５の長さは、前記傘を開いた時の、前記上ロクロ４と傘軸の先端６の間隔が４〜６ｃｍとなる長さである、ことを特徴とする請求項１または請求項２に記載の傾斜傘。
【手続補正２】
【補正対象書類名】明細書
【補正対象項目名】全文
【補正方法】変更
【補正の内容】
【発明の詳細な説明】
【技術分野】
【０００１】
本発明は、風圧を活用することで傘布面２のみが風上側に傾斜をする。
【背景技術】
【０００２】
従来の傘は横からの風雨の時は傘軸７を風上側に傾斜して水濡れに対応する。    
【発明の概要】
【発明が解決しようとする課題】
【０００３】
横からの風雨の時に風上側に傘軸７を傾斜させなくても傘布面２のみが自動的に風上側に傾斜することで水濡れを防ぐことを可能とする。  
【課題を解決するための手段】
【０００４】
傘軸7と、前記傘軸7と摺動可能に嵌装される下ロクロ９と、前記傘軸７の先端側に配置される石突き１と、前記石突き１に上ロクロ４を介して取り付けられる傘布面２と、前記傘布面２を支持する親骨３と、前記親骨３と下ロクロ９との間に介装される支骨８とを備える傘であって、前記上ロクロ４と、傘軸の先端６とが分離している。  
【０００５】
又、前記上ロクロ４と、傘軸７の先端６とがワイヤー５で接続されている。
【０００６】
又、前記傘軸７の内部に引きばね11が設けられ、前記引きばね１１の基端側が前記傘軸７に固定され、先端側が前記ワイヤー５の傘軸側端部に接続されている。
【０００７】
傘を開いた時、上ロクロ４と傘軸先端６の間隔をワイヤー５の長さを以って４〜６ｃｍに設定することで傘軸先端６を支点として布傘面２が自動的に風上側に追尾し風圧に比例した傾斜運動を可能とする。
【発明の効果】
【０００８】
本発明の傘は風上からの風圧を活用する。前後左右からの風雨の変化に対し傘布面2のみが傘軸先端６を支点として自動的に風上側に方向追尾し、風圧に比例した傾斜を自動的にすることで、傘の握り手を持ち替えたり傘軸7を傾斜せずとも風上からの風雨に対し容易に水濡れを防ぐことが可能である。
【０００９】
本発明の傘は、風向、風圧が頻繁に変化しても、寸時に且つ容易に傘布面２のみが自動的に風上側に追尾及び傾斜することで、常に傘布面2が均等な風圧状態にあり逆風を受ける状態を回避するため傘布面２が裏返ることになりにくく
握力の弱い使用者にも使い勝手が良い。
【００１０】
従来の傘は横からの突風を伴う風雨の時に、傘布面２の風上側の片面範囲で風圧を受けるので傘を保持をしにくいが、本発明の傾斜傘は風上側に寸時に且つ自動的に傾斜するため傘布面2全体で均等に風圧を吸収することで、持ち手側に反動が少なく傘布面２が安定しているので傘を保持しやすい。
【００１１】
両手に荷物を持っている時でも本発明の傘は傘軸７を傾斜しないので荷物を持った片手で容易に傘を保持することが可能となる。
【００１２】
風圧を受け、傘布面２が傾斜をしても透明製材質で製作することで前方目視が可能で、子供用の傘としても適している。
【図面の簡単な説明】
【００１３】
【図１】本発明の傾斜傘Ｐの構成
【図２】風が吹いた時の、本発明の傾斜傘の使用状態
【発明を実施するための形態】
【００１４】
図１に、本発明の傾斜傘Ｐの構成を示す。
【００１５】
本発明の傾斜傘Ｐは、傘軸７と、傘軸７に摺動可能に嵌装される下ロクロ９と、傘軸７の先端側に配置される石突き１と、石突き1の下に上ロクロ４を介して取り付けられる傘布面２と、傘布面２を支持する親骨３と、親骨３と下ロクロ９との間に介装される支骨８とを備えており、上ロクロ４と傘軸７の先端６を切り離し、上ロクロ４と傘軸７の先端６をワイヤー５で接続した構成である。
【００１６】
このように、本発明の図１傾斜傘Ｐは従来の傘では接続されている上ロクロ４と傘軸７の先端６を切り離し、切り離した箇所どうしをワイヤー５で接続することで傘軸７の先端６を支点として傘布面２を傾斜させるなどの動作を実現できる。
【００１７】
ワイヤー５の長さは、傾斜傘Ｐを開いた時の、上ロクロ４と傘軸７の先端６の間隔が４〜６ｃｍとなる長さに設定することが好ましい。  
【００１８】
傘布面２が横風を受けると自動的に傘軸先端６を支点として風上側に追尾し且つ自動的に風圧に比例した傾斜をする。
【００１９】
傘布面２の風圧が弱く水平状態の時に風雨を受ければ自動的に傘布面２が風上側への追尾及び傾斜動作となる。
【００２０】
風が弱い時に水平状態の傘布面２が風上からの風圧を受けることで、風圧を受けた傘布面２の風上側の片面の風圧が高くなることにより、傘布面２の風圧バランスが崩れることで均等性を失うと寸時に傘布面２のみがバランスの安定動作へとして自動的に風上側への方向追尾と傾斜動作が始まる。
【００２１】
風上から風圧を受けた傘布面2は風向追尾と均等な風圧バランス状態に至るまで傾斜動作を続行し、傘布面２の風圧バランスが均等状態に至ることで傾斜動作を停止且つ保持する、次の風向風圧の変化が生じることで上記動作を繰り返す。
【００２２】
傘布面２が傾斜状態で停止の時、風が弱くなり傘布面２の風圧が減圧状態に至ると、傘布面２は親骨３の張力が勝り自動的に水平状態に戻る。
【００２３】
傘軸７の内部には引きばね１１が設けられており、引きばね１１の基端側が傘軸７に固定され、先端側がワイヤー５の傘軸７側端部に接続されている。
引きばね１１は、瞬間突風の風圧を傘布面２が受けた時、又何かに接触をしたとき親骨３へのダンパー用として活用される。
【００２４】
傘布面２での風向風圧が常時変化するゆえ石突き１の基端箇所の上ロクロ４及び傘軸先端６の双方とは、ワイヤー５の摩擦損傷の軽減のために、外周側へ拡径するラッパ状（図１−４，図１−６）に加工すると良い。
【００２５】
ワイヤー５は、しなりのある、材質ステンレス製の捩り線ワイヤーなどで実現するのが良い。
【符号の説明】
【００２６】
Ｐ        傾斜傘
１       石突き
２        傘布面
３        親骨       
４        上ロクロ                                 
５        ワイヤー   
６        傘軸先端
７        傘軸              
８        支骨
９        下ロクロ   
１０      上弾き            
１１      引きばね
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
傘軸７と、前記傘軸７と摺動可能に嵌装される下ロクロ９と、前記傘軸７の先端側に配置される石突き１と、前記石突き１に上ロクロ４を介して取り付けられる傘布面２と、前記傘布面２を支持する親骨３と,前記親骨３と下ロクロ９との間に介装される支骨８とを備える傘であって、前記上ロクロ４と、傘軸７の先端６とが分離しており、前記上ロクロ４と、傘軸７の先端６とがワイヤー5で接続されており、
前記傘軸７の内部に引きばね１１が設けられ、前記引きばね１１の基端側が前記傘軸７に固定され、先端側が前記ワイヤー５の傘軸７側端部に接続されていることを特徴とする傾斜傘。
【請求項２】
前記ワイヤー５の長さは、前記傘を開いた時の、前記上ロクロ４と傘軸の先端６の間隔が４〜６ｃｍとなる長さである、ことを特徴とする請求項１に記載の傾斜傘。